(57)【特許請求の範囲】
【請求項１】
大小２本の丸形蛍光灯を保持して包装箱内に収納するための保持仕切具１であって、該保持仕切具１が一枚のシート２からなり、該シート２は基部３の両側に折目４ａ，４ｂを介して内向きに順次折曲げられる外側面部５ａ，５ｂ・フラップ部７ａ，７ｂ・内側面部９ａ，９ｂ・糊代片部１１ａ，１１ｂを連接してなり、両内側面部９ａ，９ｂと両フラップ部７ａ，７ｂの中央には小形蛍光灯を嵌挟するための窓部１２ａを穿設してなり、両内外側面部５ａ，５ｂ，９ａ，９ｂの外周縁部１４ａ，１４ｂ，１５ａ，１５ｂには大形蛍光灯を嵌挟するための弧状に削設してなる保持仕切具において、折目６ａ，６ｂと折目１０ａ，１０ｂを平面状に伸ばし、折目４ａ，４ｂと折目８ａ，８ｂを折曲げて、両フラップ部７ａ，７ｂが内側に折り曲げられ、両糊代片部１１ａ，１１ｂは予め基部３に貼着して組立てうるようにしたことを特徴とする２本組丸形蛍光灯の保持仕切具。
【請求項２】
基部１０３の中央に折目１２２ａを介して折返片部１２３ａを設け、該折返片部１２３ａを基部１０３に貼着して、小形蛍光灯がフラップ部と糊代片部及び折返片部で挟着しうるようにした請求項１記載の２本組丸形蛍光灯の保持仕切具。
【発明の詳細な説明】
【０００１】
【発明の属する技術分野】
本発明は、例えば４０Ｗと３０Ｗの大小２本の丸形蛍光灯をセットにして保持し、包装箱内に収納するための保持仕切具に関するものである。
【０００２】
【従来の技術】
従来、丸形蛍光灯２本を組にして包装箱内に収納するためには、先ず小形蛍光灯を内箱に箱詰めし、この内箱四隅の外周縁部を弧状に削設しておいて、大形蛍光灯を弧状に嵌挟し、さらに外箱に箱詰めするようにしていた。そのため、内箱への材料使用量が増大してコスト高になっていた。
【０００３】
これを改良するために、特開平１０−１８１７８４号公報の先行技術も提案されている。しかし同公報の保持具からなる仕切板の技術では、基部の両側を階段状に折曲げているだけなので、伸びやすく非常に不安定で、厚紙を使用する必要があり、また次の箱詰め作業に手間を要することが欠点となっていた。
【０００４】
また、仕切板を安定化させるためには、基部両側の蛍光灯を保持する規制部を断面ロの字状に貼着させることが望ましい。しかしながら、組立時に貼着作業を伴うとなれば、却って手間が増大することになる。
【０００５】
更に、蛍光灯は、保持具の基部の上に載置するので、全体として厚みが増大し、
多数の保持具を積載する際には、保管空間が増大することになる。
【発明が解決しようとする課題】
【０００６】
上記の事情に鑑み、本発明は、材料使用量を節減し、セットした状態で安定に保持しうるようにし、しかもワンタッチで組立てうるようにした２本組丸形蛍光灯の保持仕切具を提供するものである。
【０００７】
【課題を解決するための手段】
本発明は、上記目的を達成するために、大小２本の丸形蛍光灯を保持して包装箱内に収納するための保持仕切具１であって、該保持仕切具１が一枚のシート２からなり、該シート２は基部３の両側に折目４ａ，４ｂを介して内向きに順次折曲げられる外側面部５ａ，５ｂ・フラップ部７ａ，７ｂ・内側面部９ａ，９ｂ・糊代片部１１ａ，１１ｂを連接してなり、両内側面部９ａ，９ｂと両フラップ部７ａ，７ｂの中央には小形蛍光灯を嵌挟するための窓部１２ａを穿設してなり、両内外側面部５ａ，５ｂ，９ａ，９ｂの外周縁部１４ａ，１４ｂ，１５ａ，１５ｂには大形蛍光灯を嵌挟するための弧状に削設してなる保持仕切具において、折目６ａ，６ｂと折目１０ａ，１０ｂを平面状に伸ばし、折目４ａ，４ｂと折目８ａ，８ｂを折曲げて、両フラップ部７ａ，７ｂが内側に折り曲げられ、両糊代片部１１ａ，１１ｂは予め基部３に貼着して組立てうるようにした２本組丸形蛍光灯の保持仕切具を構成するものである。
【０００８】
【発明の実施の態様】
以下、本発明の実施例を図面に基づいて詳しく説明する。図１は本発明の保持仕切具の一実施例を示す展開図、図２は本発明の保持仕切具が貼着済みのワンタッチ組立品であることを示す、貼着状態の一実施例を示す正面図、図３は貼着を済ませ納入時の折り畳まれた状態の一実施例を示す平面図、図４は本発明の保持仕切具に２本の蛍光灯を嵌挟して、包装箱に収納する時の一実施例を示す分解斜視図である。
【０００９】
本発明の保持仕切具１は、展開状態で一枚のシ−ト２の１ピ−スからなっている。このシ−ト２は、基部３の左右両側には折目４ａ，４ｂを介して左右外側面部５ａ，５ｂを、左右外側面部５ａ，５ｂの左右両側には折目６ａ，６ｂを介して左右フラップ部７ａ，７ｂを、左右フラップ部７ａ，７ｂの左右両側には折目８ａ，８ｂを介して左右内側面部９ａ，９ｂを、左右内側面部９ａ，９ｂの左右両側には折目１０ａ，１０ｂを介して左右糊代片部１１ａ，１１ｂを連接している。
【００１０】
左右両内側面部９ａ，９ｂと左右両フラップ部７ａ，７ｂの中央には、小形蛍光灯を嵌挟するための窓部１２ａ，１２ｂを穿設している。本実施例の場合の窓部１２ａ，１２ｂは、左右両折目１０ａ，１０ｂに添う直線と、左右両内側面部９ａ，９ｂから左右両フラップ部７ａ，７ｂに至る半円状の穿設孔からなっている。
【００１１】
各折目４ａ，４ｂ，６ａ，６ｂ，８ａ，８ｂ，１０ａ，１０ｂは、内向きに折曲げられる。本発明の保持仕切具１がワンタッチで組立てうるように、左右両糊代片部１１ａ，１１ｂは、予め基部３に貼着される。従って、内向きに折曲げられて貼着した状態では、蛍光灯を保持する左右の規制部１３ａ，１３ｂは、図２のように、両断面はロの字状の安定した状態に保たれる。
【００１２】
図３は、貼着を済ませた後に、折り畳んで納入する状態の一実施例を示している。本実施例の場合は、折目６ａ，６ｂと折目１０ａ，１０ｂを平面状に伸ばし、折目４ａ，４ｂと折目８ａ，８ｂを９０°から１８０°まで折曲げて、両フラップ部７ａ，７ｂが内側に折り曲げられた状態を示している。
【００１３】
先ず図３の状態で、大形蛍光灯Ｌを保持仕切具１の外側におく。この際、両内側面部９ａ，９ｂの外周縁部１４ａ，１４ａ，１４ｂ，１４ｂは、図１のように凹弧状になっており、また両外側面部５ａ，５ｂの外周縁部１５ａ，１５ａ，１５ｂ，１５ｂも、図１のように凹弧状になっている。そして基部３の四隅縁部１６ａ，１６ａ，１６ｂ，１６ｂは、大形蛍光灯Ｌの内周円よりやや大きい、図１のような同心円にしており、また糊代片部１１ａ，１１ｂの外周縁部１７ａ，１７ａ，１７ｂ，１７ｂも、大形蛍光灯Ｌの内周円よりやや大きい、図１のような同心円にしており、さらにフラップ部７ａ，７ｂの外周縁部１８ａ，１８ａ，１８ｂ，１８ｂも、大形蛍光灯Ｌの内周円よりやや大きい、図１のような同心円にしている。
【００１４】
そのため大形蛍光灯Ｌを、本発明の保持仕切具１の外側において両側面部５ａ，
５ｂ，９ａ，９ｂを垂直に立てると、大形蛍光灯Ｌは凹弧状の各外周縁部１４ａ，
１５ａ，１５ａ，１４ａ，１４ｂ，１５ｂ，１５ｂ，１４ｂに嵌挟するとともに、
大形蛍光灯Ｌの内周円よりやや大きい各外周縁部１７ａ，１６ａ，１８ａ，１７ａ，１６ａ，１８ａ，１７ｂ，１６ｂ，１８ｂ，１７ｂ，１６ｂ，１８ｂによって上下面の内側が一部覆装され、安定した状態に保持される。
【００１５】
一方、小形蛍光灯を嵌挟する際には、各側面部５ａ，５ｂ，９ａ，９ｂが垂直に立った状態では、両フラップ部７ａ，７ｂが開いているので、窓部１２ａ，１２ｂに入れるようにすれば、図４のように小形蛍光灯Ｓも簡単に嵌挟させることができる。これは左右両内側面部９ａ，９ｂの内周縁部１９ａ，１９ａ，１９ｂ，１９ｂは、図１のように凸弧状になっているので、小形蛍光灯Ｓが填まり込むことができる。また両フラップ部７ａ，７ｂの窓部１２ａ，１２ｂの半円弧２０ａ，２０ｂは、小形蛍光灯Ｓの外周円よりやや小さい同心円にしているので、小形蛍光灯Ｓは両フラップ部７ａ，７ｂによって上面外側が一部覆装され、従って安定した状態に保持される。
【００１６】
基部３の中心部には、小形蛍光灯Ｓの内径程度の円形孔２１を穿設している。これは、小形蛍光灯Ｓを図４のように、本発明の保持仕切具１にセツト２２したままで、裏面からも点灯テストが可能なようにしたものである。そして、保持仕切具１にセツト２２された大小の蛍光灯Ｌ，Ｓは、図４の如き包装箱２３に収納される。即ち本発明の保持仕切具１は、ワンタッチで組立てて、大小２本の丸形蛍光灯を保持させることができ、包装箱内に安定した状態で収納することができる。
【００１７】
図５は、本発明の保持仕切具の別の実施例を示す展開図である。本実施例の保持仕切具１０１も、展開状態で一枚のシ−ト１０２からなっているが、先の実施例と相違する点は、基部１０３の中心部の円形孔１２１を全部穿設することなく、基部１０３の中央に、上下内向きに折返される折目１２２ａ，１２２ｂを介して、折返片部１２３ａ，１２３ｂを設け、この折返片部１２３ａ，１２３ｂを図示してないが折返して、予め基部１０３上に貼着するものである。このようにすれば、小形蛍光灯の下面は折返片部１２３ａ，１２３ｂ上に乗って、基部１０３と接触することなく、緩衝効果が倍増する。
【００１８】
【発明の効果】
本発明の保持仕切具を使用すれば、厚紙を使用する必要はなく、材料使用量が節減でき、軽量でコスト安にすることができる。
【００１９】
本発明の保持仕切具は、断面がロの字状に固定されているので、１本の蛍光灯をセットすれば形が安定し、２本の蛍光灯は安定した状態で保持することができ、
取出しに際しても不慮の事故を誘発する恐れはない。
【００２０】
本発明の保持仕切具は、ワンタッチで組立てることができ、蛍光灯の嵌挟も簡単で作業能率の向上が期待できる。
【００２１】
本発明の保持仕切具の基部に、折返片部を貼着するようにしたので、緩衝効果を増大することができる。
【００２２】
蛍光灯は、保持仕切具の基部の上に載置しないので、全体として薄く形成でき、
多数の保持具を積載する際には、保管空間を節約することができる。
【図面の簡単な説明】
【図１】本発明の保持仕切具の一実施例を示す展開図である。
【図２】本発明の保持仕切板が貼着済みのワンタッチ組立品であることを示す、折り畳まれた状態の一実施例を示す正面図である。
【図３】本発明の保持仕切具が貼着済みのワンタッチ組立品であることを示す、折り畳まれた状態状態の一実施例を示す平面図である。
【図４】本発明の保持仕切具に２本の蛍光灯を嵌挟して、包装箱に収納する時の一実施例を示す分解斜視図である。
【図５】本発明の保持仕切具の他の実施例を示す展開図である。
【符号の説明】
１                ：  保持仕切具
２                ：  シ−ト
３                ：  基部
４ａ，４ｂ        ：  折目
５ａ，５ｂ        ：  左右外側面部
６ａ，６ｂ        ：  折目
７ａ，７ｂ        ：  左右フラップ部
８ａ，８ｂ        ：  折目
９ａ，９ｂ        ：  左右内側面部
１０ａ，１０ｂ    ：  折目
１１ａ，１１ｂ    ：  左右糊代片部
１２ａ，１２ｂ    ：  窓部
１３ａ，１３ｂ    ：  規制部
１４ａ，１４ｂ    ：  外周縁部
１５ａ，１５ｂ    ：  外周縁部
１６ａ，１６ｂ    ：  四隅縁部
１７ａ，１７ｂ    ：  外周縁部
１８ａ，１８ｂ    ：  外周縁部
１９ａ，１９ｂ    ：  内周縁部
２０ａ，２０ｂ    ：  半円弧
２１              ：  円形孔
２２              ：  蛍光灯を仕切板にセット
２３              ：  包装箱
１０１            ：  仕切板
１０２            ：  シ−ト
１０３            ：  基部
１２１            ：  円形孔
１２２ａ，１２２ｂ：  折目
１２３ａ，１２３ｂ：  折返片部
Ｌ                ：  大形蛍光灯
Ｓ                ：  小形蛍光灯
【図１】
0003658607.tif 000002
【図２】
0003658607.tif 000003
【図３】
0003658607.tif 000004
【図４】
0003658607.tif 000005
【図５】
0003658607.tif 000006